(57)【特許請求の範囲】
【請求項１】
プロセス変数を感知するための装置であって、：
筐体と；
プロセス変数によって変化する電気的特性を有するプロセス変数センサと；
プロセス変数センサが第一のシールド部分に対して取り付けられ、プロセス流体に曝されるように構成される第一のシールド部分と；
第一のシールド部分を筐体から流動的に隔離する少なくとも一つのセラミック粉末シールを有する第二のシールド部分であって、第一のシールド部分を筐体に連結させる第二のシールド部分と、
第一のシールド部分の侵害後にプロセス流体を受けいれ、応答を生成する圧力応答システムであって、第二のシールド部分に結合されたマニホールドを有する圧力応答システムと、を含む装置。
【請求項２】
筐体内に配置された端子台をさらに含み、端子台がプロセス変数センサに連結された複数の端子を有する、請求項１記載の装置。
【請求項３】
プロセス変数センサが少なくとも部分的にグラスファイバーケーブルによって端子台に連結される、請求項２記載の装置。
【請求項４】
第一のシールド部分がサーモウェルを含む、請求項１記載の装置。
【請求項５】
第二のシールド部分が第二のシールド部分の内側に連結された圧力ポートを包含する、請求項１記載の装置。
【請求項６】
圧力ポートに連結された圧力スイッチをさらに含む、請求項５記載の装置。
【請求項７】
圧力ポートに連結された弁をさらに含む、請求項５記載の装置。
【請求項８】
圧力ポートに連結された圧力表示装置をさらに含む、請求項５記載の装置。
【請求項９】
第二のシールド部分がそこを通る電気的導体を有する、請求項１記載の装置。
【請求項１０】
電気的導体が裸である、請求項９記載の装置。
【請求項１１】
電気的導体がニッケルから形成される、請求項１０記載の装置。
【請求項１２】
電気的導体が銅から形成される、請求項１０記載の装置。
【請求項１３】
筐体内に配置されプロセス変数センサに連結されたプロセス変数測定電子機器をさらに含み、
プロセス変数測定電子機器がプロセス変数センサの電気的特性を測定し、測定された電気的特性に基づいてプロセス変数出力を決定し、プロセス変数出力を通信するように構成される、請求項１記載の装置。
【請求項１４】
プロセス変数電子機器が第二のシールされた空間に連結された圧力スイッチに連結され、プロセス変数測定電子機器がプロセス変数出力のみならず第一のシールド部分の侵害の表示も提供するように構成される、請求項１３記載の装置。
【発明の詳細な説明】
【技術分野】
【０００１】
発明の背景
【０００２】
工業プロセス制御システムは、流体または同種のものを作製または輸送する工業プロセスを監視および制御するために使用される。そのようなシステムでは、通常、「プロセス変数」、例えば、温度、圧力、流速、レベルなどを測定することは、重要である。プロセス制御センサおよびトランスミッタは、プロセス変数を測定し、測定されたプロセス変数に関する情報を中央の場所、例えば、中央制御室まで伝送する。また、一部のプロセス変数トランスミッタは、情報を他のプロセス装置にも伝送することができる。
【０００３】
プロセス変数測定の例は、プロセス流体圧力測定、プロセス流体流量測定、プロセス流体温度測定、プロセス流体レベル測定などを包含する。そのような装置のセンサは、通常、プロセス流体（液体または気体）に曝され、プロセス制御をもたらすために、関連パラメータが測定され、監視および／または制御システムに伝送されることができる。プロセス変数の正確かつ詳細な測定を提供することが効果的なプロセス制御のために重要である一方で、より基本的な要求は、プロセス流体自体が漏れてはならないことである。したがって、プロセス変数測定ポイントは、プロセス設備にいかなる漏れも発生させてはならない。加えて、そのようなプロセス装置を維持することを課せられた保守要員がその保守活動を実施するに際し危険に曝されないようにすることも重要である。
【０００４】
多くの工業プロセス測定用途において、シールは、プロセス流体漏れを防ぐために必要である。シールまたは圧力バリアは、工場要員の安全を確保するためにプロセス流体を封じ込める機械的な構造である。このため、一次シールまたは圧力バリアは、プロセス流体測定システムにとって非常に重要である。安全かつロバストなシステムを提供するために、一部の用途は、一次シールの故障の場合に工場要員の安全を確保するために、冗長シールまたは圧力バリアを要する。したがって、一次シール（例えば、サーモウェル）が故障の場合、プロセス流体は、なおも二次シールまたは圧力バリアによって封じ込められる。
【０００５】
発明の概要
【０００６】
プロセス変数を感知するための装置は、筐体と、プロセス変数によって変化する電気的特性を有するプロセス変数センサとを包含する。第一のシールド部分は、プロセス流体に曝されるように構成される。プロセス変数センサは、第一のシールド部分に対して取り付けられる。第二のシールド部分は、第一のシールド部分を筐体に連結させる。第二のシールド部分は、第一のシールド部分を筐体から流動的に隔離する少なくとも一つのシールを有する。
【図面の簡単な説明】
【０００７】
【図１】本発明の実施態様が特に適用可能である、サーモウェル（１０２）、温度センサ（サーモウェル１０２内）、トランスミッタ筐体（１０４）および温度トランスミッタ電子機器（１０８）からなるプロセス温度測定ポイント（１００）の模式図である。
【図２】サーモウェルが侵害された、さもなければその中にプロセス流体圧力（１１４）を許容するときにサーモウェル（１０２）から温度センサモジュール（１１０）を取り外した結果を示す模式図である。
【図３Ａ】本発明の実施態様に従う、少なくとも一つの二次シールを採用するプロセス流体温度感知システムの模式図である。
【図３Ｂ】サーモウェルと無機絶縁（ＭＩ）ケーブルの両方が侵害されたときの図３Ａに示す装置の部分の拡大図である。
【図３Ｃ】本発明の一つの実施態様に従う、付属部品ポートに連結された一部の異なるタイプの圧力検知、表示および／または逃し付属部品の模式図である。
【図３Ｄ】本発明のもう一つの実施態様に従う、プロセス流体測定システムの模式図である。
【図４Ａ】本発明のもう一つの実施態様に従う、デュアルシールを備えるプロセス変数測定システムの模式図である。
【図４Ｂ】本発明の実施態様に従う、サーモウェル（１９４）に動作可能に連結可能な図４Ａに示すプロセス変数温度測定システムを図示する模式図である。
【図５】本発明の実施態様に従う、「バンストン」型サーモウェルの模式断面図である。
【図６】本発明の実施態様に従う、プロセス温度測定アセンブリの模式図である。
【発明を実施するための形態】
【０００８】
発明を実施するための形態
【０００９】
プロセス工場に対する安全を強化するために、追加的なシール選択肢を提供することは、ますます重要になっている。先に説明したように、一次シールが故障した場合、それは、保守技術者が無意識のうちに加圧されたプロセス流体に直接曝される危険な状態を生み出し得る可能性がある。本明細書に記載された実施態様に従って、追加的な二次シール／圧力バリアは、プロセス流体圧力を封じ込めるのみならず、ユーザーまたは保守技術者に一次シールの侵害を潜在的に警告するためにも提供される。本明細書に記載された実施態様が一般的に特定のタイプのプロセス変数測定アセンブリ（プロセス流体温度測定アセンブリ）に重点を置く一方で、本発明の実施態様が任意の好適なプロセス変数を感知する任意の好適なタイプのプロセス変数センサによって具体化され得ることは、明白に考えられる。それゆえに、当業者は、本発明の実施態様がプロセス流体圧力測定、プロセス流体流量測定、プロセス流体レベル測定およびその他によって具体化され得ることがわかる。
【００１０】
図１は、それによって本発明の実施態様が特に適用可能であるプロセス流体温度測定ポイントの模式図である。プロセス流体温度測定アセンブリ１００は、一般的に、管継手１０６を介してもう一つの装置または制御室にプロセス流体温度情報を伝えるために、好適な電子トランスミッタを含有することができる筐体１０４に連結されたサーモウェル１０２を包含する。また、筐体１０４は、プロセス流体温度を示唆する情報を提供するために、ローカルディスプレイ、例えば、ディスプレイ１０８を包含することもできる。サーモウェル１０２は、一般的に、少なくとも一つの温度センサ、例えば、温度によって変化する電気的パラメータ（抵抗）を有する測温抵抗体（ＲＴＤ）を含有する。抵抗は、ローカルディスプレイ１０８を介してまたは管継手１０６を介して他の装置に伝えられることができるプロセス変数出力を提供するために、筐体１０４内の回路によって測定され、電子機器、例えば、マイクロプロセッサによって動作する。
【００１１】
サーモウェル１０２は、一般的に、プロセス流体と直接接触するように構成される。このため、サーモウェル１０２は、プロセス流体との接触に起因するエロージョンまたは疲労を経験し得る。エロージョンまたは疲労がサーモウェル１０２を侵害する場合には、プロセス流体は、サーモウェル１０２に入り、センサ１１０／１２４を通り、筐体１０４を加圧し、管継手１０６に連結された管さえも加圧する可能性がある。加圧された流体は、マーシャリングパネルに戻り、場合によっては制御室に戻り、管システム全体さえも加圧し得る。これは、極めて望ましくない。
【００１２】
図２は、サーモウェル１０２が侵害された、さもなければプロセス流体圧力をその中に許容するときに技術者がサーモウェル１０２から温度センサモジュール１１０を取り外した結果を示す模式図である。先に説明したように、これは、サーモウェル１０２のコロージョンによってまたはサーモウェル１０２の亀裂（疲労に起因する可能性がある）もしくは他の機械的な問題によって引き起こされ得る。いずれにしても、サーモウェル１０２が侵害されたとき、温度センサモジュール１１０のＭＩケーブルが圧力を維持することが可能であると仮定すると、プロセス流体は、サーモウェルに流れ、温度センサモジュール１１０を加圧し得る。無機絶縁ケーブルが圧力を封じ込めることが可能でない場合、圧力は、筐体、例えば、筐体１０４（図１に示す）に流れ、これは望ましくない。ＭＩケーブルがプロセス圧力を保持する場合、プロセス圧力は、保守技術者がサーモウェル１０２から温度センサモジュール１１０を切り離し始めるまで、温度センサモジュール１１０に作用する。ねじが切り離されると、引火性、有毒または非常に熱いプロセス流体が漏れ得て、温度センサモジュール１１０が矢印１１４の方向への有意な力によって吹き飛ばされ、プロセス流体圧力がサーモウェル１０２から表に流れ得る、激しい切り離しが起こり得る。これは、保守技術者または工場内の他の要員に対する安全上のリスクおよび環境被害を生み出し得る。それゆえに、一次圧力シール／バリアの侵害が安全にかつ効果的に対処されることは、重要である。
【００１３】
図３Ａは、本発明の実施態様に従う、少なくとも一つの二次シールを採用するプロセス流体温度感知システムの模式図である。温度センサアセンブリ１２０は、端子台１２１、頭部取り付け型温度電子機器モジュールまたは任意の他の好適な電子機器アセンブリを収容することができる筐体１２２を包含する。図３Ａに示す実施態様では、筐体１２２は、プローブ１２４に提供された温度センサになされる電気的相互接続を可能にする、その中に取り付けられた端子台１２１を有する。プローブ１２４は、任意の好適な数の温度センサを含有することができる。さらに、温度センサのタイプは、異ならせることができ、熱電対、ＲＴＤ、サーミスタまたは他の好適な装置を非限定的に包含する。プローブ１２４は、一般的に、プロセス流体に直接連結するサーモウェル（図３Ａには図示せず）内に取り付けられる。温度センサプローブ１２４は、本体１２６に取り付けられ、一つの実施態様では、ばね仕掛けにされ、温度センサプローブ１２４が矢印１２８の方向に移動可能であるようにする。このプローブ１２４の移動は、温度センサプローブ１２４が直接サーモウェルの内部端で静止し、それによってサーモウェルとの効果的な熱的接触を確保することを確実にすることに役立つ。本体１２６は、一般的に、ユニオン１３４を介して合わせて連結される一対の圧縮フィッティング１３０、１３２から形成される。フィッティング１３０、１３２およびユニオン１３４は、一般的に、最大プロセス流体圧力に耐えるように設計される。これは、サーモウェルシールが故障した場合には、プロセス流体圧力がフィッティング１３０、１３２および１３４内を進むためである。一つの実施態様では、フィッティング１３０および１３２は、ステンレス鋼から形成され、最高で２７０バールまで耐えるように設計される圧縮フィッティングである。圧縮フィッティング１３２内では、端子台または他の好適な電気的相互接続は、プローブ１２４内の温度センサのリード線との相互接続を容易にするために提供されることができる。設置後、圧縮フィッティング１３２は、正常保守中の交換のために内部端子台からセンサリード線を外すことを可能にするために、必要に応じて緩めたり、締め直したりすることができる。
【００１４】
少なくとも一部の状況では、一次シール／圧力バリアの侵害が起こったとき、プロセス変数測定アセンブリが感知および／または潜在的に表示することは望ましい。一つの実施態様に従って、圧縮フィッティング１３２は、一つまたは複数のポート１３８、１４０を有するマニホールド１３６に連結される。図３Ａに示す実施態様では、ポート１３８、１４０の各々は、プラグで塞がれる。しかし、ポート１３８、１４０は、一次シールが故障したときに状態が感知されることができるおよび／または改善措置を取ることができるように、他の装置がプロセス流体温度センサアセンブリ１２０の内部空間に連結されることを可能にする。以下により詳細に記載されるそのような装置の例は、プロセス流体温度測定アセンブリが加圧されるときに、圧力を感知さもなければ表示するまたは圧力が安全に放出さもなければ取り除かれることを制御可能に許容することが可能である、弁、圧力スイッチ、プロセス流体圧力測定システムまたは任意の他の装置を包含する。
【００１５】
この実施態様では、マニホールド１３６は、その中にカプラ１４４がねじ込まれる、内部をねじ切りされた部分１４２を有する。カプラ１４４は、二次破砕セラミック粉末シール１４６にも連結される。一つの実施態様では、シール１４６は、破砕セラミック粉末シーリング方法を使用する１／４インチＮＰＴフィッティングである。破砕セラミック粉末シール１４６を通る配線は、一般的に、裸であり、導体それら自体が破砕セラミック粉末と直接インターフェースする。一つの実施態様では、各導体は、固体ニッケルから形成され、約０．５mmの直径を有する。破砕セラミック粉末シール１４６は、その後、筐体１２２に付着される１／２インチＮＰＴフィッティング１４８に連結される。１／２インチＮＰＴフィッティング１４８は、一つの実施態様では、主に配線への張力緩和のために設計されたスタイキャスト（Stycast）ポッティング（コネチカット州ロッキーヒルのHenkel Corporationから市販されている）も充填される。
【００１６】
図３Ｂは、サーモウェルとＭＩケーブルの両方が侵害されたときの、図３Ａに示す装置の部分の拡大図である。これが起こるとき、プロセス流体は、開口１５０を通じてアセンブリに入る。加圧され得るプロセス流体は、圧縮フィッティング１３０および１３２を通じて進む。それゆえに、図３Ｂに示すように、プロセス流体圧力は、フィッティング１３２を通じてマニホールド１３６内に進む。先に記載したように、好適な圧力検知、表示および／または逃し付属部品は、ポート１３８、１４０に付着されることができる。図３Ｂに見てとれるように、加圧された流体がマニホールド１３６内に存在する場合には、それは、ポート１３８、１４０およびそこに付着されることができる各種付属部品に流れる。プロセス流体は、それが封じ込められるセラミック粉末シールフィッティング１４６までずっと流れる。セラミック粉末シールフィッティング１４６は、一部の実施態様では、最高で６８０バールまでのシールを提供するように設計される。一つの例では、フィッティング１４６は、３０３ステンレス鋼から形成されるが、しかし、他の好適な材料を使用することができる。図３Ｂに示すように、侵害されたプロセス流体圧力が安全に封じ込められる一方で、それは、装置の修理または交換を課せられ得る技術者にとってなおも危険である場合がある。したがって、圧力検知、表示および／または逃し付属部品は、技術者が安全にプロセス変数測定アセンブリ１２０と関わることを可能にするという点において特に重要である。
【００１７】
一部の状況では、電子感知または他の好適な技術によって一次プロセスシール侵害の告知を発生させることは、有益または必要である場合さえある。先に説明したように、本発明の一部の実施態様は、圧力告知および／または改善を提供するために各種装置がシステムに連結されることを許容するマニホールド１３６の提供を包含する。さらに、告知のやり方および改善のタイプは、エンドユーザーの要求に基づいて異なる場合がある。それゆえに、マニホールド１３６および複数のポートの提供は、とりわけ重要である。一部のユーザーは、例として、一般的に非破壊試験できない圧力スイッチが信頼性に欠けるものと思う場合がある。他の状況では、電子告知が通信されることが可能でない場合がある（すなわち、特定のプロセス設備が装置から利用可能であるタイプの電子通信を使用しない場合がある）または特定の作業命令が次の計画的シャットダウンを待っている場合があるため、エンドユーザーは、計器にローカル視覚表示を要する場合がある。これが起こるとき、現場の保守技術者は、作業命令に関する情報を有しない場合がある。なおも他の場合においては、ユーザーは、技術者による安全な整備点検のために装置を減圧するための通気口を要する場合があり、圧力逃し弁を提供することが有効な場合がある。この異なるモジュラリティを提供するために、マニホールド１３６は、導管および／または追加的な計装、例えば、ダイヤル圧力計、圧力測定システム、圧力スイッチ、圧力逃し弁または他の好適な装置がエンドユーザーの要求に依存してシステムに連結されることができる、アクセスポート１３８、１４０を提供する。また、各種圧力検知／告知／改善付属部品は、その要求に基づいてエンドユーザーに提供されることができる。
【００１８】
図３Ｃは、本発明の実施態様に従う、付属部品ポート１３８および１４０に連結されることができる一部の異なるタイプの圧力検知、表示および／または逃し付属部品の模式図である。図３Ｃは、技術者がプロセス流体圧力を手動で解放するために弁１５２を動作させることができるように付属部品ポート１３８に連結された圧力逃し弁１５２を示す。また、付属部品ポート１４０に連結された多数の装置が示される。とりわけ、圧力スイッチ１５４は、付属部品ポート１４０のみならずダイヤル圧力計１５６および圧力測定システム１５８にも連結される。図３Ｃに示す機器構成では、ダイヤル圧力計１５６および圧力測定システム１５８は、圧力スイッチ１５４と直列に示される。しかし、任意の好適な数の圧力感知装置が所望の通り直列もしくは並列にまたは両方を組み合わせて付属部品ポート１４０に連結されることができることは明白に考えられる。圧力スイッチ１５４は、一般的に、圧力が規定の閾値に達したとき、信号を提供する。この信号は、一般的に、（圧力スイッチのタイプに依存して）開または閉のいずれかの接点の形態であり、その状態は、その後、比較的単純な電気的回路によって検知可能である。一つの実施態様では、これは、筐体１２２内の回路によって検知可能であり、温度測定システムは、プロセス流体温度（プロセス変数）を通信するのみならず、一次シール侵害の表示をローカルに、プロセス通信ループを通じて、またはその両方を提供することもできる。
【００１９】
ダイヤル圧力計１５６は、それが曝される圧力を示す。それゆえに、一次圧力シールが侵害されていないときの正常状態では、ダイヤル圧力計１５６は、ゼロ圧力を示す。侵害が起こるとき、ダイヤル圧力計１５６上の非ゼロ表示は、加圧されたプロセス装置を示唆する。同じように、圧力測定システム１５８は、公知の技術に従って、プロセス流体圧力を測定し、その電気的表示を提供するように構成される。この電気的表示は、プロセス制御ループ、恐らくは、プロセス流体温度測定システムが連結されるのと同じプロセス制御ループさえも通じて提供されることができる。また、圧力測定システム１５８は、無線で、例えば、IEC 62591に従って、通信するように構成されることができる。いずれにしても、圧力測定システム１５８は、プロセス流体圧力測定システム内の圧力を感知し、感知された圧力に関連する情報を制御室または他の好適な装置に伝えることができる。
【００２０】
図３Ｄは、本発明のもう一つの実施態様に従う、プロセス流体測定システムの模式図である。システム１７０は、システム１２０（図３Ａに示す）との多くの類似点をもち、同じ構成要素は、同じように番号付けされる。図３Ｄに示すように、システム１７０は、多数のフィッティングを介して筐体１２２内の端子台に動作可能に連結された温度感知プローブ１２４を包含する。とりわけ、システム１７０は、裸配線がシール１４６を通る際にその周囲に圧縮された粉末状セラミックを採用するセラミック粉末充填シール１４６も包含する。図３Ｄに示す実施態様では、これらの配線は、ニッケル配線であり、各々が約０．５mmの直径を有する。図３Ｄに示す実施態様と図３Ａに示すそれとの間の違いは、システム１７０が圧力付着ポートを備えるフィッティング／マニホールド１３６を包含しないことである。それゆえに、図３Ｄは、マニホールド１３６なしで具体化されることができる本発明の実施態様を図示する。
【００２１】
図４Ａは、本発明のもう一つの実施態様に従う、デュアルシールを備えるプロセス変数測定アセンブリの模式図である。システム１８０は、図４Ａに示す実施態様ではプロセス変数センサの導体との電気的相互接続を容易にするための好適なコネクタを備える端子台を包含する、頭部エンクロージャ１２２を包含する。端子台１８２は、一部の実施態様では、頭部取り付け型電子機器、例えば、プロセス変数センサの導体に連結し、プロセス変数を計算さもなければ決定し、公知の技術に従うプロセス通信ループまたはセグメントを通じてプロセス変数を伝える頭部取り付け型温度トランスミッタモジュールと交換されることができる。
【００２２】
先に記載した温度測定システムのように、システム１８０は、金属配管、例えば、ステンレス鋼配管内に配置された一つまたは複数の個別の温度センサ、例えば、ＲＴＤ、熱電対、サーミスタなどからなることができる少なくとも一つの温度センサプローブ１２４を包含する。センサプローブ１２４の導体は、図４Ａに示す実施態様では、グラスファイバーケーブル１８４に連結される。グラスファイバーケーブルは、動作温度範囲、一部の実施態様では、最高で摂氏６００度までを提供する。図４Ａに示すように、グラスファイバーケーブル１８４とフィッティング１８６との間の移行は、ろう付けされた部分１８８を介して提供される。ろう付けされた部分１８８は、好適な収縮ホース、例えば、ポリテトラフルオロエチレンホースで絶縁されることができる。フィッティング１８６は、粉末状セラミック裸配線圧力シール、例えば、シール１４６に関して記載されたものを包含することができる二次フィッティング１９０に連結される。他方で、フィッティング１８６は、図４Ｂに示すサーモウェルに連結される。先細りは、力で合わせられ、圧力シールを形成する。これまでの実施態様と違って、シール１９０を通る導体は、一般的に、約０．５ｍｍの直径を備える銅配線を採用し、一部の実施態様では、ポリイミド、例えば、デラウェア州ウィルミントンのE. I. du Pont de Nemours and Companyから市販されているKaptonによって絶縁されることができる。図４Ａに示すように、フィッティング１９２は、好適な充填材料、例えば、スタイキャスト（Stycast）で充填されることができる。さらに、フィッティング１９２を通る導体と、端子台１８２で終端するフライングリード線に連結するそれらとの間の電気的相互接続は、ろう付けまたは他の好適な技術を介することができる。システム１８０のさらなる変形は、システム１２０（図３Ａに示す）で使用されるマニホールド１３６を組み入れることができる。
【００２３】
図４Ｂは、本発明の実施態様に従う、サーモウェルに連結可能な、図４Ａに示すプロセス変数温度測定システムを図示する模式図である。センサプローブ１２４は、サーモウェル１９４の孔１９６内に配置されるように構成され、コネクタ１８６の１  １／８−１２ＵＮＦおねじは、サーモウェル１９４の対応するめねじ１９８と係合するように構成される。サーモウェル１９４は、本発明の実施態様に従う追加的なフィーチャも示す。とりわけ、サーモウェル１９４は、サーモウェル１９４の一次シールが侵害された場合、プロセス流体を漏出さもなければ放出する水抜き穴２００を包含する。このようにして、圧力は、それが筐体１２２および／または管継手ポート２０２に連結された追加的な構造を加圧し得る前に放出される。したがって、図４Ｂに示す実施態様は、（水抜き穴２００から出るプロセス流体を介して）一次シール侵害の視覚表示を提供する。
【００２４】
図４Ｂは、サーモウェル１９４のシールが侵害され、水抜き穴２００がプラグで塞がれ、および／または、さもなければ流体圧力を十分に迅速に放出することができないときに加圧されるようになる斜線領域を示す。斜線領域は、プロセス流体がフィッティング１８６を通って流れ、フィッティング１９０を通って、一般的にスタイキャスト（Stycast）ポッティング２０４によって取り囲まれたポリイミドホイル絶縁を備える銅配線を有するフィッティング１９２で最終的に封じ込められることを表示する。
【００２５】
図５は、本発明の実施態様に従う、「バンストン」型サーモウェルの模式断面図である。サーモウェル２１０は、プロセス流体係合部分２１２と、取り付け部分２１４と、プロセス計器接続部分２１６とを包含する。図５に示す実施態様では、プロセス係合部分２１２は、わずかな先細りを有する。また、サーモウェル２１０は、温度プローブ、例えば、センサプローブ１２４を受けるようにサイズ指定されたプローブ開口２１８を包含する。開口２１８内のプローブは、プロセス流体から遮断されるが、一般的に、部分２１２の金属壁を通る流れに起因することによりプロセス流体の温度と事実上同じ温度を有する。一般的に、部分２１２は、円筒形を有するが、しかし、他の好適な形を使用することができる。取り付け部分２１４は、ASME、APIまたはDINフランジ２２０に溶接され、二つのフランジ間に圧縮され、さもなければそこに固定されることができる。一つの実施態様では、取り付け部分２１４と嵌合フランジ２２０との間のガスケットの圧縮は、最高で１５，０００psi（を包含する）までのプロセス流体圧力に好適なシールを発生させる。ASME、APIまたはDINフランジ２２０は、プロセスに取り付けるための一つまたは複数の取り付け穴２２２を包含する。計器係合部分２１６は、一般的に、プロセス計装のフィッティング、例えば、フィッティング１８６（図４Ｂに示す）を受けるように構成される、内部をねじ切りされた開口２２４を有する。また、一つの実施態様に従って、計器係合部分２１６は、複数の補助圧力ポート２３８および２４０を包含する。これらの圧力ポートは、任意の好適な圧力表示および／または改善装置、例えば、圧力スイッチ１５４、ダイヤル圧力計１５６および／または圧力測定システム１５８（図３Ｃに示す）の連結を可能にする。それゆえに、計器１８０（図４Ｂに示す）と併せてサーモウェル２１２を採用することは、（図３Ａ〜３Ｃに示す実施態様のように）圧力を表示および／または解放するための同じ能力をなおも提供する。なおもさらに、計器連結部分２１６上へのポート２３８および２４０の包含は、よりコンパクトな設計を可能にすることができる。
【００２６】
本発明の少なくとも一部の実施態様が既存のプロセス設備に対する改良として具体化されることができることは明白に考えられる。図６は、本発明の実施態様に従うプロセス変数測定アセンブリの模式図である。プロセス変数測定アセンブリ５００は、コントローラ５０４、通信回路５０６、測定回路５０８および電力モジュール５１０を含有する筐体５０２を包含する。通信回路５０６は、一つの実施態様では、管継手ポート５１２を介して有線プロセス制御ループまたはセグメントに連結することができる。
【００２７】
コントローラ５０４は、それが連結される測定回路５０８からの信号に基づいてプロセス変数情報を発生させることが可能である、任意の好適な電子装置または機器構成であることができる。それゆえに、コントローラ５０４は、マイクロプロセッサ、マイクロコントローラ、プログラム可能なゲートアレイなどであることができる。一つの実施態様では、コントローラ５０４は、プロセス変数センサ５１４に関連する測定を示唆する測定回路５０８からのデジタル情報を受けた。このデジタル情報は、プロセス変数情報（例えば、プロセス流体温度）を発生させるためにコントローラ５０４によって処理され、その後、遠隔装置への伝送のために通信回路５０６に伝えられることができる。
【００２８】
通信回路５０６は、プロセス産業標準プロトコルに従ってプロセス変数測定アセンブリ５００が通信することを可能にする。そのような通信は、有線媒体（管継手ポート５１２を介して通信回路５０６に物理的に連結された導体）、無線（例えば、ラジオ周波数通信を使用して）またはその両方を介することができる。好適な有線プロセス通信プロトコルの例は、Highway Addressable Remote Transducer（HART（登録商標））プロトコル、FOUNDATION（商標）Fieldbusプロトコル、Profibus DPおよびその他を非限定的に包含する。無線プロセス通信プロトコルの例は、IEC 62591を包含する。
【００２９】
電力モジュール５１０は、一つの実施態様では、プロセス制御ループまたはセグメントの配線に連結し、「全てへ」と標識された矢印によって表示されたように、プロセス変数測定アセンブリ５００の構成要素に好適に調整された電力を提供する。そのような実施態様では、プロセス変数測定アセンブリ５００は、全面的に、プロセス制御ループまたはセグメントを介して電力供給されることができる。プロセス変数測定アセンブリ５００が無線で通信する実施態様では、電力モジュール５１０は、プロセス変数トランスミッタ５００の他の構成要素に電力を提供するために、好適なバッテリー・調整回路を包含することができる。
【００３０】
測定回路５０８は、プロセス変数センサ５１４の電気的特性の測定を実施することが可能である任意の好適な回路を包含する。測定回路５０８は、アナログ・デジタル変換器、増幅回路、スイッチング回路またはプロセス変数センサ５１４からの測定を入手するのに有効な任意の他の回路もしくはロジックを包含することができる。例として、プロセス変数センサが、例として、プロセス温度によって異なる抵抗を有する場合、測定回路５０８は、公知の量の電流をセンサに通し、センサの抵抗を示唆する、センサにわたる電圧を測定するための回路を包含することができる。
【００３１】
プロセス変数センサ５１４は、対象となるプロセス変数を測定するための任意の好適なタイプのセンサであることができる。プロセス変数センサ５１４は、プロセス５１６に動作可能に連結されるが、一次シールされた空間５１８内でそれから分離される。一次シールされた空間５１８の例は、サーモウェルである。二次シールされた空間５２０は、一次シールされた空間５１８を筐体５０２に連結させる。プロセス流体が一次シールされた空間５１８を侵害する場合には、プロセス流体は、二次シールされた空間５２０に入る。図６に示す実施態様では、圧力スイッチ５２２は、二次シールされた空間５２０に流動的に連結され、コントローラ５０４に電気的に連結される。二次シールされた空間内のプロセス流体がトリップする、さもなければ圧力スイッチ５２２を起動するレベルに達した場合には、コントローラ５０４は、状態の変化を検知し、一次シールされた空間５１８の侵害を表示するためのロジックまたはプログラムステップを実行する。例として、コントローラ５０４は、ローカルオペレータインターフェース（図６には図示せず）に侵害を示唆する出力を提供させることができる。また、またはあるいは、コントローラ５０４は、一つまたは複数の遠隔装置または関係者に侵害を警告するために、通信回路５０６を使用して好適な通信を発生させることができる。
【図１】
0006640366.tif 000002
【図２】
0006640366.tif 000003
【図３Ａ】
0006640366.tif 000004
【図３Ｂ】
0006640366.tif 000005
【図３Ｃ】
0006640366.tif 000006
【図３Ｄ】
0006640366.tif 000007
【図４Ａ】
0006640366.tif 000008
【図４Ｂ】
0006640366.tif 000009
【図５】
0006640366.tif 000010
【図６】
0006640366.tif 000011